(57)【要約】【課題】  作業性を向上させるとともに、作業時間の短縮を図る。【解決手段】  圧胴１のくわえ爪装置によって始端がくわえられ搬送される紙は、印刷部１１において番号胴４の番号器５によって印字される。圧胴１の軸線と平行となるように左右のフレームに横架された支持軸２１に、基準ホルダー２２が固定されている。この基準ホルダー２２に第１の固定用ボルト２３によって調整用ホルダー２４が着脱自在に締結され、締結を緩めることにより調整用ホルダー２４が支持軸２１の周りにわずかに回動可能になっている。調整用ホルダー２４に第２の固定用ボルト２５によって、紙押さえコロ４０を備えたブラケット２６が固定されている。ブラケット２６にピン２７を中心として案内面４３ａを有するガイドレバー２８が揺動自在に支持され、圧縮コイルばね５０によって付勢されている。ガイドレバー２８の係合部４２に調整用ボルト２９が当接している。【選択図】  図１
2005186563.tif 000002
【特許請求の範囲】
【請求項１】
シート状物を保持するシート状物保持手段を有し、回転自在に支持された第１の胴と、
回転自在に支持され、前記第１の胴と対向し、搬送される前記シート状物に対して、前記第１の胴と前記第２の胴との間で間で印刷またはコーティングを行う第２の胴と、
前記第１の胴と前記第２の胴との対向部近傍に設けられ、前記シート保持手段に保持されたシート状物を案内する案内面を有する案内部材とを備えたシート状物の案内装置において、
前記案内部材は、固定部材に、前記案内部材を揺動自在に支持するブラケットを介して着脱自在に支持され、
前記固定部材に、前記第１の胴の外周面と前記案内面との間隔を調整する案内部材調整手段を備えたことを特徴とするシート状物の案内装置。
【請求項２】
請求項１記載のシート状物の案内装置において、
前記案内部材は、前記案内部材と前記ブラケットとの間に弾装された弾性部材によって付勢され、
前記弾性部材によって付勢された前記案内部材の係合部は、前記案内部材調整手段と対接することを特徴とするシート状物の案内装置。
【請求項３】
請求項２記載のシート状物の案内装置において、
前記案内部材を前記ブラケットにピンを介して揺動自在に支持し、
前記弾性部材を圧縮コイルばねとし、この圧縮コイルばねを前記ブラケットの非貫通孔の底部と前記案内部材に固定したばね受け部材との間に弾装し、
前記案内部材調整手段を前記固定部材に螺合させ、前記圧縮コイルばねの弾発力に抗して前記案内部材の係合部を押圧する調整用ボルトとしたことを特徴とするシート状物の案内装置。
【請求項４】
請求項２記載のシート状物の案内装置において、
前記第１の胴の軸線と平行となるように左右のフレーム間に横架され前記固定部材が固定される支持軸と、
前記固定部材に第１の固定用ボルトによる締結を緩めることにより移動可能な調整用ホルダーとを備え、
この調整用ホルダーに前記ブラケットを第２の固定用ボルトを介して着脱自在に取り付けたことを特徴とするシート状物の案内装置。
【請求項５】
請求項１記載のシート状物の案内装置において、
前記第２の胴に、この第２の胴の軸方向よりも狭い凸部を有していることを特徴とするシート状物の案内装置。
【請求項６】
請求項５記載のシート状物の案内装置において、
前記凸部は軸方向に複数設けられ、
前記凸部との間に前記案内部材があることを特徴とするシート状物の案内装置。
【請求項７】
請求項１記載のシート状物の案内装置において、
前記第２の胴に、この第２の胴の円周方向の長さよりも短い凸部を有していることを特徴とするシート状物の案内装置。
【発明の詳細な説明】
【技術分野】
【０００１】
本発明は、印刷物に部分的に印刷したりコーティングしたりする印刷機またはコーティング装置に関し、これらの装置に適用されて好適なシート状物の案内装置に関するものである。
【背景技術】
【０００２】
この種のシート状物の案内装置として最も典型的なものとして、印刷物に番号を印刷する印刷機に適用されたシート状物の案内装置がある。すなわち、印刷物に番号を印刷する印刷機においては、番号器を使用して番号器に対応した部分だけの部分印刷であるため、オフセット印刷の全面印刷に比べ、紙を全体にわたって均一に押さえることができず、紙のあばれを起こしやすく番号が２度印字されるいわゆるダブリや、印字位置がばらつくような印刷不良が発生しやすい。この対策して、従来は、圧胴の軸線と平行に横架された支持軸と、この支持軸に着脱自在に支持され先端が番号胴と圧胴とが対向する位置まで延設されたアームと、このアームの先端に設けられ圧胴に対接する紙ガイド部と、前記アームの先端部にエキセンコロ軸を介して偏心して取り付けられたコロとを備えた案内装置がある。この装置では、番号器の印刷部近傍において、紙ガイド部が紙を圧胴の外周面に沿わせて案内するとともに、コロにより紙を圧胴に押圧している（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開平８−２１６３６９号公報（段落「０００８」〜「００１１」、図１）
【発明の開示】
【発明が解決しようとする課題】
【０００３】
上述した従来のシート状物の案内装置においては、アームの基部を支持軸に直接取り付ける構造としているため、摩耗したコロを交換する等のために、一旦、支持軸からアームを取り外し、再度アームを支持軸に取り付けるときに、紙ガイド部と圧胴との間の隙間調整を初めから行わなければならないため、調整作業に時間がかかるという問題があった。また、紙ガイド部と圧胴との間の隙間調整をコロの偏心調整によって行うものであるから、このコロが圧胴と番号胴との間の狭いスペース内に設けられているため、作業性が悪いという問題もあった。
【０００４】
本発明は上記した従来の問題に鑑みなされたものであり、その目的とするところは、調整するための作業時間を短縮するとともに、作業性を向上させることにある。
【課題を解決するための手段】
【０００５】
この目的を達成するために、請求項１に係る発明は、シート状物を保持するシート状物保持手段を有し、回転自在に支持された第１の胴と、
回転自在に支持され、前記第１の胴と対向し、搬送される前記シート状物に対して、前記第１の胴と前記第２の胴との間で間で印刷またはコーティングを行う第２の胴と、
前記第１の胴と前記第２の胴との対向部近傍に設けられ、前記シート保持手段に保持されたシート状物を案内する案内面を有する案内部材とを備えたものである。
請求項２に係る発明は、請求項１に係る発明において、前記案内部材は、前記案内部材と前記ブラケットとの間に弾装された弾性部材によって付勢され、前記弾性部材によって付勢された前記案内部材の係合部は、前記案内部材調整手段と対接するものである。
請求項３に係る発明は、請求項２に係る発明において、前記案内部材を前記ブラケットにピンを介して揺動自在に支持し、前記弾性部材を圧縮コイルばねとし、この圧縮コイルばねを前記ブラケットの非貫通孔の底部と前記案内部材に固定したばね受け部材との間に弾装し、前記案内部材調整手段を前記固定部材に螺合させ、前記圧縮コイルばねの弾発力に抗して前記案内部材の係合部を押圧する調整用ボルトとしたものである。
請求項４に係る発明は、請求項２に係る発明において、前記第１の胴の軸線と平行となるように左右のフレーム間に横架され前記固定部材が固定される支持軸と、前記固定部材に第１の固定用ボルトによる締結を緩めることにより移動可能な調整用ホルダーとを備え、この調整用ホルダーに前記ブラケットを第２の固定用ボルトを介して着脱自在に取り付けたものである。
請求項５に係る発明は、請求項１に係る発明において、前記第２の胴に、この第２の胴の軸方向よりも狭い凸部を有しているものである。
請求項６に係る発明は、請求項５に係る発明において、前記凸部は軸方向に複数設けられ、前記凸部との間に前記案内部材があるものである。
請求項７に係る発明は、請求項１に係る発明において、前記第２の胴に、この第２の胴の円周方向の長さよりも短い凸部を有しているものである。
【発明の効果】
【０００６】
本発明によれば、案内部材の調整と紙押えコロの調整とを独立して調整することができるため調整作業が容易になるとともに、固定部材に案内調整手段を設けたことにより作業性が向上する。また、案内部材をブラケットを介して着脱自在に支持する固定部材を設けたことにより、案内部材を固定部材から取り外すときに、案内部材の調整の基準となる固定部材が装置に取り付けられたままの状態であるため、再度案内部材を取り付けるときに案内部材の調整時間を短縮することができる。
【発明を実施するための最良の形態】
【０００７】
以下、本発明の実施の形態を図に基づいて説明する。図１は本発明に係るシート状物の案内装置の側面図、図２は同じく左半分を示した平面図、図３は要部の平面図、図４は図３におけるIV-IV 線断面図である。
【０００８】
図１に符号１で示すものは第１の胴としての圧胴であって、左右のフレーム２，２（一方のフレーム２は図示を省略）に回転自在に支持されており、シート状物としての紙３の始端をくわえるシート状物保持手段としてのくわえ爪装置（図示せず）を備えている。４は偏心軸受を介して左右のフレーム２，２に回転自在に支持された第２の胴としての番号胴であって、外周面に圧胴１の軸方向よりも狭い凸部としての番号器５，６が軸線方向へ複数列設けられており、これら複数列の番号器５，６が円周方向へ複数対設けられている。これら番号器５，６の外周部のそれぞれには、円周方向に等間隔の複数の印字部７，９が設けられており、これら印字部７，９の表面には所定の数字の凸版が彫刻されている。
【０００９】
番号器５，６の印字部７，８には図示を省略したインキ着けローラが対接しており、圧胴１のくわえ爪装置によってくわえられて搬送される紙３に対して、インキが着けられた番号器５，６の印字部７，８と圧胴１との間で印字を行う印刷部１１が形成されている。番号器５の印字部７は番号胴４の回転にもかかわらず番号が転換されることがなく、紙３には同じ番号１３が印刷される。一方、番号器６には、リング状に形成されたカム部材１０のカム溝に係入されるカムフォロア９が設けられており、番号胴４が１回転するごとに、番号器６の印字部８が一数字分だけ変換されるように構成され、紙３には印刷毎に番号が転換されて違う番号１４が印刷される。
【００１０】
次に、図１ないし４を用いて、本発明の特徴であるシート状物の案内装置について説明する。
【００１１】
これらの図において、全体を符号２０で示すシート状物の案内装置は、支持軸２１に固定される固定部材としての基準ホルダー２２と、この基準ホルダー２２に第１の固定用ボルト２３によって取り付けられる調整用ホルダー２４と、この調整用ホルダー２４に第２の固定用ボルト２５によって取り付けられるブラケット２６と、このブラケット２６にピン２７を介して揺動自在に支持される案内部材としてのガイドレバー２８と、このガイドレバー２８を押圧する調整用ボルト２９とによって概略構成されている。
【００１２】
支持軸２１は、図２に示すように、固定子３１を介して左右のフレーム２，２間に、圧胴１の軸線に平行になるように横架されている。基準ホルダー２２は、図４に示すように、略扁平な直方体によって形成された上下２つのホルダー３２，３３によって構成されており、これらホルダー３２の下部とホルダー３３の上部のそれぞれには、断面が半円形で互いの径が、支持軸２１の径よりもわずかに小さく形成された保持溝３２ａ，３３ａが設けられている。これら保持溝３２ａ，３３ａによって支持軸２１を挟持し、ボルト３４を上側ホルダー３２の挿通孔を挿通させ、下側ホルダー３３のねじ孔に螺合させることにより、基準ホルダー２２が支持軸２１に割締め固定される。ホルダー３２にはねじ孔３２ｂが設けられているとともに、上端部に凸部３２ｃが一体に立設され、この凸部３２ｃには表裏を貫通するねじ孔３２ｄが設けられており、このねじ孔３２ｄには調整用ボルト２９が螺合している。
【００１３】
調整用ホルダー２４は、図１に示すように、扁平な略直方体状に形成され、下部に径が支持軸２１の径よりもわずかに大きく形成された断面が半円形の遊嵌溝２４ａが設けられ、左右には上下方向に貫通する一対の挿通孔２４ｂ，２４ｂが設けられ、上部には表裏を貫通し第１の固定用ボルト２３の径よりも大きい径に形成された調整孔２４ｃが設けられている。この調整用ホルダー２４は、遊嵌溝２４ａを支持軸２１に載置するようにして、調整孔２４ｃに挿通させた第１の固定用ボルト２３を、上述したホルダー３２のねじ孔３２ｂに螺合させることにより、図３に示すように、基準ホルダー２２に重ね合わされて固定される。
【００１４】
ブラケット２６は、図１に示すように、右端側に位置する基部３５と左端側に位置する支持部３６とによって側面視略への字状に形成されており、基部３５の上部には、上述した遊嵌溝２４ａと同じ径を有する遊嵌溝３５ａが設けられ、上端面の左右には一対のねじ孔３５ｂ，３５ｂが設けられている。支持部３６の略中央部には両側面を貫通する支持孔３６ａが設けられ、この支持孔３６ａの図中左方の上面には非貫通孔３６ｂが設けられており、左端部には、図３に示すように、細く形成されたコロ取付部３６ｃが設けられ、このころ取付部３６には表裏を貫通する支持孔３６ｄが設けられている。
【００１５】
この支持部３６の支持孔３６ｄには、通しボルト３７が挿通され、この通しボルト３７に螺合したナット３８によって、通しボルト３７はコロ取付部３６ｃに取り付けられており、この通しボルト３７にはベアリング３９を介して紙押えコロ４０が回転自在に支持されている。このように構成されたブラケット２６は、図１に示すように、遊嵌溝３５ａを支持軸２１の外周面に添接させるようにして、基部３５の上面を調整ホルダー２４の下面に突き合わせ、挿通孔２４ｂ，２４ｂを挿通させた第２の固定用ボルト２５，２５をねじ孔３５ｂ，３５ｂに螺合させることにより、遊嵌溝２４ａ，３５ａが支持軸２１に遊嵌状態で、調整用ホルダー２４の下面に取り付けられる。
【００１６】
ガイドレバー２８は、図４に示すように、右端側に係合部４２が斜め上方に一体に立設され、全体が略逆Ｌ字状に形成されており、左端側に、図３に示すように、平面視においてクランク状に折り曲げ形成され下面に紙を案内する傾斜した案内面４３ａが形成された紙ガイド部４３が一体に設けられている。このガイドレバー２８の略中央部には表裏を貫通する支持孔２８ａが設けられ、この支持孔２８ａの図中左方の上端面にはばね受け部材としてのプレート４５がボルト４６，４６によって固定されており、このプレート４５の幅は、図３に示すようにガイドレバー２８の厚みよりも大きく形成され、ガイドレバー２８の端部から図中下方に突出している。４７はストッパとしてのボルトであって、係合部４２の下部側に螺合している。
【００１７】
このような構成のガイドレバー２６は、図３に示すように、ブラケット２８の支持孔３６ａに係入したピン２７を支持孔２８ａに係入し、ピン２７の両端部に嵌着したワッシャ４８，４８によってピン２７の軸線方向への移動を規制することにより、ブラケット２６にピン２７を揺動中心として揺動自在に支持される。ブラケット２６の非貫通孔３６ｂの底部とプレート４５との間には弾性部材としての圧縮コイルばね５０が弾装されており、この圧縮コイルばね５０の弾発力によって、ガイドレバー２８はピン２７を中心として、図１中時計方向に付勢され、係合部４２の上端部が調整用ボルト２９の先端に当接している。
【００１８】
次に、このように構成されたシート状物の案内装置よって、紙押えコロ４０と圧胴１の外周面との間隙を調整およびガイドレバー２８の案内面４３ａと圧胴１の外周面との間隙を調整する方法を説明する。
【００１９】
先ず、図１において、圧胴１の外周面に１枚の紙を添接させた状態とし、第１の固定用ボルト２３の締結を緩めると、ボルト２３と調整孔２４ｃとの間の遊び分だけ調整用ホルダー２４が支持軸２１の周りをわずかの範囲で回動自在となる。このとき、ブラケット２６も支持軸２１の周りをわずかの範囲で回動自在となるので、ブラケット２６は自重により支持軸２１を中心として図中反時計方向にわずかに回動し、紙押えコロ４０が圧胴１上の紙に当接する。この状態が、紙押えコロ４０と圧胴１の外周面との間の適正な間隙となるので、第１の固定用ボルト２３によって調整ホルダー２４を基準用ホルダー２２に固定する。
【００２０】
次いで、調整用ボルト２９の螺合量を調節し、基準ホルダー２２の凸部３２ｃからの調整用ボルト２９の突出量を可変することにより、ピン２７を中心としたガイドレバー２８の揺動角度が変わり、案内面４３ａと圧胴１の外周面との間隙を調整する。このとき、調整用ボルト２９を回転操作するための頭部２９ａが、圧胴１と番号胴４とが対向する印刷部１１から離れた位置に位置付けられ、かつ開放されたスペース側を指向しているため作業性が向上する。
【００２１】
また、案内面４３ａを有するガイドレバー２８が、基準ホルダー２２に、ガイドレバー２８を揺動自在に支持するブラケット２６を介して着脱自在に支持されているため、案内面４３ａと圧胴１の外周面との間隙の調整と、紙押えコロ４０と圧胴１の外周面との間隙を調整とを、同時ではなく個別に行うことができるから、調整に熟練を必要とせずに容易に行うことができる。なお、このシート状物の案内装置２０を図２において支持軸２１の軸線方向への調整を必要とする場合には、図４において、ボルト３４の締結を緩め、基準ホルダー２２を支持軸２１の軸線方向へ移動させて行う。
【００２２】
このように構成されていることにより、圧胴１のくわえ爪装置に始端をくわえられ搬送される紙（図示せず）は、印刷部１１の近傍において、ガイドレバー２８の案内面４３ａによって圧胴１の外周面に沿うように案内されるとともに、紙押えコロ４０が回転しながら紙を圧胴５の外周面に押圧する。したがって、ガイドレバー２８の案内面４３ａと紙押えコロ４０とによって、紙を印字する直前まで圧胴１の外周面に押さえつけておくことができるため、紙のあばれが防止され、番号が２度印字されるダブリや、印字位置がばらつくような印刷不良を防止することができる。
【００２３】
ここで、摩耗した紙押えコロを交換する等のために、このシート状物の案内装置２０を取り外す場合には、第２の固定用ボルト２５，２５の締結を解除し、ブラケット２６を調整用ホルダー２４から取り外すことにより、ブラケット２６と調整用ホルダー２４とを支持軸２１から取り外す。このとき、ブラケット２６とともに取り外されるガイドレバー２８は、圧縮コイルばね５０の弾発力によってピン２７を中心として時計方向に回動するが、ボルト４７がブラケット２６の上面に係合するため、ガイドレバー２８の回動が規制される。このように、調整用ホルダー２４とブラケット２６とを支持軸２１から取り外した後に、基準用ホルダー２２のみを支持軸２１に取り付けたままの状態にしておくことにより、再び、調整用ホルダー２４とブラケット２６とを支持軸２１に取り付けるときに、基準用ホルダー２２によって、調整用ホルダー２４とブラケット２６との支持軸２１への取付基準が残されているため、調整時間を短縮することができる。また、シート状物の案内装置２０を支持軸２１の軸線方向へ移動調整する必要が生じたら、ボルト３４による締結を緩めることにより行う。
【００２４】
なお、本実施の形態においては、印刷部１１によって紙に印字をするようにしたが、印刷部１１をコーティング部とし紙にコーティングをするようにしてもよい。
【図面の簡単な説明】
【００２５】
【図１】本発明に係るシート状物の案内装置の側面図である。
【図２】本発明に係るシート状物の案内装置の左半分を示した平面図である。
【図３】本発明に係るシート状物の案内装置における要部の平面図である。
【図４】図３におけるIV-IV 線断面図である。
【符号の説明】
【００２６】
１…圧胴（第１の胴）、３…紙、４…番号胴（第２の胴）、５，６…番号器、１１…印刷部、２０…シート状物の案内装置、２１…支持軸、２２…基準用ホルダー、２３…第１の固定用ボルト、２４…調整用ホルダー、２５…第２の固定用ボルト、２６…ブラケット、２７…ピン、２８…ガイドレバー（案内部材）、２９…調整用ボルト、４０…紙押えコロ、４２…係合部、４３ａ…案内面、４５…プレート（ばね受け部材）、５０…圧縮コイルばね（弾性部材）。
【図１】
2005186563.tif 000003
【図２】
2005186563.tif 000004
【図３】
2005186563.tif 000005
【図４】
2005186563.tif 000006